(57)【要約】【課題】  引出し式の扉で回動式の扉と同様の開放機能もしくは開放補助機能を有し、しかも、その機能が電磁装置の磁力を大きく要さずして得られるようにする。【解決手段】  使用者が引出し式の扉の開放のための操作をすれば、それが操作検知手段により検知されて（Ｓ２）電磁装置が働き（Ｓ３〜Ｓ５）、引出し式の扉を開放方向に付勢する。かくして、引出し式の扉で回動式の扉と同様の開放機能もしくは開放補助機能を得ることができる。そして、その場合、電磁装置を扉の１部位とそれとは反対側の他の１部位とにそれぞれ対応させて設け、操作検知手段の検知動作に基づく、一方の電磁装置の通電から、他方の電磁装置の通電を所定時間遅らせて実行することにより（Ｓ３〜Ｓ５）、引出し式の扉を開放されやすくでき、その分、電磁装置の磁力を大きく要さないようにできる。【選択図】  図１
2006308169.tif 000002
【特許請求の範囲】
【請求項１】
貯蔵室を有する貯蔵庫本体と、
前記貯蔵室の貯蔵品出入口を開閉する引出し式の扉と、
この扉の開放のための使用者の操作を検知する操作検知手段と、
この操作検知手段による検知に応動して前記扉を開放方向に付勢する電磁装置とを具備し、
前記電磁装置を前記扉の１部位とそれとは反対側の他の１部位とにそれぞれ対応させて設け、
前記操作検知手段の検知動作に基づく、前記一方の電磁装置の通電から、他方の電磁装置の通電を所定時間遅らせて実行するようにしたことを特徴とする貯蔵庫。
【請求項２】
一方の電磁装置と他方の電磁装置とを直列に電気接続したことを特徴とする請求項１記載の貯蔵庫。
【発明の詳細な説明】
【技術分野】
【０００１】
本発明は、引出し式扉の開放機能又は開放補助機能を有する貯蔵庫に関する。
【背景技術】
【０００２】
従来より、貯蔵庫、中でも冷蔵庫においては、冷蔵室や冷凍室及び野菜室等の貯蔵室を有する貯蔵庫本体に、その各貯蔵室の貯蔵品出入口を開閉する扉が設けられている。この扉は、冷蔵室用のものが右側もしくは左側の一辺部を貯蔵庫本体に枢支した回動式であり、冷凍室及び野菜室等用のものが、それぞれ引出し式の貯蔵品容器に一体的に設けられて貯蔵庫本体に対し平行に接離移動する、要するに引出し式である。
【０００３】
しかして、このものにおいては、近年、冷蔵庫用の扉、すなわち、回動式の扉に関し、該扉の特定の部分に使用者が触れるだけで所定量開放されるようにしたものが供されている。このものの場合、具体的には、扉に、使用者が触れる接触部と、この接触部に対する使用者の接触を検知する検知器が設けられ、一方、冷蔵庫本体に、検知器の検知信号を受ける制御装置と、この制御装置により通電励起される電磁装置が設けられていて、その間、特には検知器と制御装置との間が扉の枢支部を通したリード線で接続されている。この構成で、接触部に使用者が触れれば、その接触を検知器が検知してリード線で制御装置に検知信号を送り、この検知信号に基づいて、制御装置が電磁装置を通電励起することにより、電磁装置が扉を所定量開放させるようになっている。
【特許文献１】特開平１−１５０７８６号公報
【特許文献２】特開２０００−１６８５５９号公報
【発明の開示】
【発明が解決しようとする課題】
【０００４】
上記従来のものの場合、電磁装置で所定量開放されるのは回動式の扉であり、引出し式の扉にはそれが適用されていなかった。
本発明は上述の事情に鑑みてなされたものであり、従ってその目的は、引出し式の扉で回動式の扉と同様の開放機能もしくは開放補助機能を得、しかも、その機能を電磁装置の磁力を大きく要さずして得ることのできる貯蔵庫を提供するにある。
【課題を解決するための手段】
【０００５】
上記目的を達成するために、本発明の貯蔵庫においては、貯蔵室を有する貯蔵庫本体と、前記貯蔵室の貯蔵品出入口を開閉する引出し式の扉と、この扉の開放のための使用者の操作を検知する操作検知手段と、この操作検知手段による検知に応動して前記扉を開放方向に付勢する電磁装置とを具備し、その電磁装置を前記扉の１部位とそれとは反対側の他の１部位とにそれぞれ対応させて設け、前記操作検知手段の検知動作に基づく、前記一方の電磁装置の通電から、他方の電磁装置の通電を所定時間遅らせて実行するようにしたことを特徴とする（請求項１の発明）。
【発明の効果】
【０００６】
上記手段によれば、使用者が引出し式の扉の開放のための操作をすれば、それが操作検知手段により検知されて電磁装置が働き、引出し式の扉を開放方向に付勢する。かくして、引出し式の扉で回動式の扉と同様の開放機能もしくは開放補助機能を得ることができる。
そして、その場合、電磁装置を扉の１部位とそれとは反対側の他の１部位とにそれぞれ対応させて設け、操作検知手段の検知動作に基づく、一方の電磁装置の通電から、他方の電磁装置の通電を所定時間遅らせて実行することにより、引出し式の扉を開放されやすくでき、その分、電磁装置の磁力を大きく要さないようにできる。
【発明を実施するための最良の形態】
【０００７】
以下、本発明を冷蔵庫に適用して、その第１実施例（第１の実施形態）につき、図１ないし図５を参照して説明する。
まず、図２には、貯蔵庫である冷蔵庫の全体を正視して表しており、貯蔵庫本体である冷蔵庫本体１に、上より順に、冷蔵室扉２、野菜室扉３、製氷室扉４及び切換室扉５、冷凍室扉６を設けている。従って、冷蔵庫本体１には、図３に示す冷蔵室７と、野菜室８、図示しない製氷室及び切換室と、冷凍室とが貯蔵室として上から順に存しており、冷蔵室扉２、野菜室扉３、製氷室扉４及び切換室扉５、冷凍室扉６は、それらの貯蔵室の各前面に存する貯蔵品出入口（冷蔵室７の貯蔵品出入口７ａと野菜室８の貯蔵品出入口８ａのみ図３に図示）を開閉するようになっている。
【０００８】
この場合、詳細には、冷蔵室扉２は右側もしくは左側（図示例は右側）の一辺部を冷蔵庫本体１に枢支した回動式であり、野菜室扉３、製氷室扉４及び切換室扉５、冷凍室扉６は、それぞれ引出し式の貯蔵品容器（野菜室用の貯蔵品容器２６のみ図３に図示）に一体的に設けられて、冷蔵庫本体１に対し平行に接離移動する、要するに引出し式である。
【０００９】
ここで、図３は、もっぱら野菜室８及び野菜室扉３に関する構成を示している。野菜室８については、左右の両側面部の上部に、それぞれレール９を設けており（左側のもののみ図示）、レール９の前部には受車１０を回転可能に枢着している。
【００１０】
又、野菜室扉３の１部位とそれとは反対側の他の１部位とにそれぞれ対応する部分である、野菜室８の前部の左右両側の各下部には、電磁装置、この場合、電磁石１１をそれぞれ配設している。なお、図３には、電磁石１１を一部収納して位置決めする凹部１２と、冷蔵庫本体１側の給電部と電磁石１１とを接続するコネクタ１３，１４、これらのコネクタ１３，１４を接続状態で収納する凹部１５、及びこの凹部１５に被着するカバー１６を示しており、これらも電磁石１１の配置と合わせて、野菜室８の前部の左右両側の各下部に存在している（これも左側のもののみ図示）。
【００１１】
更に、図３には、野菜室８の貯蔵品出入口８ａと前記冷蔵室７の貯蔵品出入口７ａとの間を仕切る前仕切板１７を示しており、これの中央部には開口部１８を形成している。しかして、その開口部１８の裏側には、レバー１９と、これを例えば反時計回りに付勢する捩りコイルスプリング２０、操作検知スイッチ２１、及びそれらを覆うカバー２２と、冷蔵庫本体１側の受電部と操作検知スイッチ２１とを接続するコネクタ２３を配設しており、他方、開口部１８の前側には、キャップ２４を前後に移動可能に装填している。なお、操作検知スイッチ２１には、この場合、マイクロスイッチを使用している。
【００１２】
そして、野菜室扉３の裏面の左右両側の各上部には、例えば金属製の堅牢な容器支持部材２５を取付け、この容器支持部材２５に貯蔵品容器２６を収納して掛け、かくして、野菜室扉３と貯蔵品容器２６とを容器支持部材２５を介して一体化している。
又、野菜室扉３の前記１部位とそれとは反対側の他の１部位である、裏面の左右両側の下部には、それぞれ永久磁石２７を取付けており、それより外側に位置させて、野菜室扉３の裏面の周縁部には、図示しないが、永久磁石を内蔵したガスケットを取付けている。
【００１３】
更に、野菜室扉３の上辺部の中央部には、前側に、引出し用の凹部２８と、取手２９、取手２９を前後に回動可能に枢支する支軸３０、取手２９を野菜室扉３側に付勢する捩りコイルスプリング３１を設けている。又、後側には、支持台３２と、これに軸部３３によって前後に回動可能に枢支されたレバー３４、及びレバー３４を時計回りに付勢する捩りコイルスプリング３５を設けている。
【００１４】
そして、そのほか、前記容器支持部材２５の後端部には、脚車３６（右側の容器支持部材２５のもののみ図示）を回転可能に枢着しており、この脚車３６を前記野菜室８のレール９に転動可能に載置し、容器支持部材２５を前記受車１０に相対的に転動可能に載置することによって、容器支持部材２５、ひいては貯蔵品容器２６を、レール９により案内する形態で野菜室８に前後に出し入れ可能に収納し、前述の引出し式としている。又、その結果、野菜室扉３も前述の引出し式となっている。
【００１５】
図４には、例えばマイクロコンピュータから成る制御装置３７を示している。この制御装置３７は、前記両電磁石１１の作動を制御する制御手段として機能するもので、図４には、その機能に関係するものだけを代表して示している。すなわち、この制御装置３７には、前記操作検知スイッチ２１と、前記野菜室扉３の開閉に応動するドアスイッチ３８（図４にのみ図示）とからそれぞれ後述の検知信号が入力されるようにしており、制御装置３７は、それらの入力並びにあらかじめ記憶した制御プログラムに基づいて、前記電磁石１１を駆動する駆動回路３９に駆動制御信号を与えるようになっている。
【００１６】
図５は、上記駆動回路３９を具体的に示しており、整流回路４０の交流入力端子間に、上記制御装置３７により作動されるリレーの接点４１と１〔Ω〕前後程度の抵抗４２とを直列に介して商用電源Ｅを接続し、整流回路４０の直流出力端子間に、平滑コンデンサ４３と、数百〔ｋΩ〕程度の抵抗４４、並びに前記両電磁石１１、特にはそれの各コイル１１ａと、それらに個別に添設した各温度ヒューズ４５との直列回路を、並列に接続している。
【００１７】
次に、上記構成のものの作用を述べる。
まず、野菜室扉３を閉鎖した状態にあるとき、容器支持部材２５の脚車３６は野菜室８のレール９の最奥部に至り、貯蔵品容器２６は全部が野菜室８に収納されている。又、このとき、野菜室扉３の永久磁石２７が野菜室８の電磁石１１に対向して当接又は近接しており、そのほか、野菜室扉３のガスケットが、野菜室８の貯蔵品出入口８ａの周縁部（前仕切板１７を含む）に密接すると共に、内蔵した永久磁石によりその密接状態に吸着保持されている。更に、このとき、ドアスイッチ３８が野菜室扉３に押されて作動し、野菜室扉３の閉鎖を検知して、その検知信号を出力している。すなわち、ドアスイッチ３８が野菜室扉３の閉鎖を検知する扉閉鎖検知手段として機能している。
【００１８】
このような状態から、使用者が野菜室扉３の取手２９に手を掛けて引くと、取手２９は支軸３０を中心に図３に矢印Ａで示すように前方へ回動し、上部２９ａによりレバー３４を押して同図に矢印Ｂで示すように反時計回りに回動させる。この反時計回りに回動されたレバー３４は、先端部３４ａにより冷蔵庫本体１のキャップ２４を押して同図に矢印Ｃで示すように後方へ移動させ、更に、そのキャップ２４がレバー１９の一端部１９ａを押して該レバー１９を同図に矢印Ｄで示すように時計回りに回動させる。これにより、レバー１９がそれまでの操作検知スイッチ２１を押圧していた状態から操作検知スイッチ２１を解放する状態に変わり、それによって、操作検知スイッチ２１が作動し、野菜室扉３の開放のための操作を検知して、その検知信号を出力する。すなわち、操作検知スイッチ２１が野菜室扉３の開放のための操作を検知する操作検知手段として機能する。
【００１９】
それらにより、制御装置３７は、ドアスイッチ３８が作動した（野菜室扉３が閉鎖されている）と判断すると共に、操作検知スイッチ２１が作動した（野菜室扉３が開放のための操作をされた）と判断し（図１のステップＳ１、Ｓ２）、その結果で、前記両電磁石１１のうちの一方（例えば左側）の電磁石１１に通電する（ステップＳ３）。
すると、その一方の電磁石１１の磁極には、対向している一方の永久磁石２７の磁極と同じ極が表れ、それによる反発力が生じる。この反発力により、その一方の永久磁石２７が、ひいてはそれを裏面に取付けた野菜室扉３の一方側が前方へ付勢される。
【００２０】
次いで、例えば０．３〜１秒ほどの所定時間経過後（ステップＳ４）、前記両電磁石１１のうちの残り他方（例えば右側）の電磁石１１に通電する（ステップＳ５）。
すると、その他方の電磁石１１の磁極には、前記一方の電磁石１１と同様に、対向している他方の永久磁石２７の磁極と同じ極が表れ、それによる反発力が生じる。この反発力により、その他方の永久磁石２７が、ひいてはそれを裏面に取付けた野菜室扉３の他方側が前方へ付勢される。
【００２１】
これらにより、野菜室扉３が前方に押し出され、特には、ガスケットに内蔵した永久磁石による吸着保持力から解放されるに必要だけの５〜１０〔ｍｍ〕の距離、前方に押し出される。
なお、他方の電磁石１１の通電後も、例えば０．３〜１秒ほどの所定時間が経過すれば（ステップＳ６）、両方の電磁石１１の通電を断つ（ステップＳ７）。
【００２２】
しかして、その後、使用者が取手２９に掛けた手で野菜室扉３を引き続ければ、野菜室扉３を開放させることができ、又、野菜室扉３と一体に、容器支持部材２５をレール９に沿わせつつ、貯蔵品容器２６を所望に引き出すことができる。
そして、野菜室扉３の開放（貯蔵品容器２６の引き出し）後、野菜室扉３を押し込めば、容器支持部材２５がレール９に沿いつつ、貯蔵品容器２６を収納位置に戻し、野菜室扉３は閉鎖状態に戻される。
【００２３】
このように本構成のものでは、使用者が引出し式の野菜室扉３の開放のための操作をすれば、それが操作検知手段である操作検知スイッチ２１により検知されて電磁装置である電磁石１１が働き、野菜室扉３を開放方向に付勢する。かくして、引出し式の野菜室扉３で回動式の扉と同様の開放機能もしくは開放補助機能を所望に得ることができる。
【００２４】
そして、その場合、電磁石１１を扉の１部位とそれとは反対側の他の１部位とにそれぞれ対応させて設け、操作検知スイッチ２１の検知動作に基づく、一方の電磁石１１の通電から、他方の電磁石１１の通電を所定時間遅らせて実行するようにしており、それによって、引出し式の野菜室扉３を片側ずつ押し開けて、特には、野菜室扉３の裏面の全周縁部にあるガスケットに内蔵した永久磁石による吸着保持力から解放されやすくでき、もって、引出し式の野菜室扉３を開放されやすくできる。
【００２５】
又、その分、電磁石１１の磁力を大きく要さないようにもでき、特には、先に通電する電磁石１１より、後に通電する電磁石１１に要する磁力を小さく済ませることができて、それら電磁石１１の使用に要するコストを低く抑えることができる。
【００２６】
加えて、本構成のものの場合、一方の電磁石１１と他方の電磁石１１を直列に接続していることにより、万一、それらのコイル１１ａのいずれかに断線が生じたときには、それらの両方が通電されず、片方だけが通電されたときの野菜室扉３に不均衡に力がかかって開放されにくくなることを防止できる。しかも、この場合、電磁石１１のコイル１１ａにより発生する磁力は電流に依存するので、双方のコイル１１ａにかかる電圧が半分で済む直列接続により、各コイル１１ａにおける銅の使用量を少なくすることができる。
【００２７】
以上に対して、図６は本発明の第２実施例（第２の実施形態）を示すもので、第１実施例と同一の部分には同一の符号を付して説明を省略し、異なる部分についてのみ述べる。
このものは、野菜室扉３の開放のための使用者の操作を検知する機構に変更を加えたもので、前述の支持台３２に代わり、左前部と右後部とにそれぞれ軸部５１，５２を有する支持台５３を使用している。そして、その左前部の軸部５１には第１のレバー５４を前後に回動可能に枢支しており、右後部の軸部５２に第２のレバー５５を同じく前後に回動可能に枢支していて、第２のレバー５５を反時計回りに付勢する捩りコイルスプリング５６を設けている。
【００２８】
又、第２のレバー５５の先端部には永久磁石５７を取付けており、それに、この場合、リードスイッチやホールＩＣ等の磁気スイッチから成る操作検知スイッチ５８を対応させている。なお、操作検知スイッチ５８は、前述のマイクロスイッチから成る操作検知スイッチ２１に代わるもので、図６には図示しない前記前仕切板１７の開口部１８の裏側に配設している。
【００２９】
この構成で、使用者が野菜室扉３の取手２９に手を掛けて引くと、取手２９は前述のように支軸３０を中心に矢印Ａで示すように前方へ回動し、上部２９ａにより第１のレバー５４を押して矢印Ｘで示すように反時計回りに回動させる。この反時計回りに回動された第１のレバー５４は、先端部５４ａにより第２のレバー５５の一端部５５ａを押して該レバー５５を矢印Ｙで示すように時計回りに回動させるものであり、これによって、永久磁石５７がそれまでの操作検知スイッチ５８に近接していた状態から操作検知スイッチ５８より離間する状態に変わり、それによって、操作検知スイッチ５８が作動し、野菜室扉３の開放のための操作を検知して、その検知信号を出力する。
【００３０】
すなわち、この場合も、操作検知スイッチ５８が野菜室扉３の開放のための操作を検知する検知手段として機能するもので、そのほかは前述同様に動作するものであり、従って前述同様の作用効果を得ることができる。
【００３１】
なお、野菜室扉３の開放のための使用者の操作が検知されたときの野菜室扉３の開放は、前述よりも距離を多くして行われるものであっても良い。
又、野菜室扉３の閉鎖状態で、電磁石１１を逆通電することにより、野菜室扉３を閉鎖状態に吸着保持するようにしても良い。
【００３２】
更に、電磁石１１で例示した電磁装置は、永久磁石２７との反発磁力で野菜室扉３を押し出すものに限られず、例えば可動のコアを有して、それにより野菜室扉３を押し出すものであっても良いもので、特に、そのような押し出し部品を使用するものであるならば、電磁装置は電磁石１１以外に例えばモータ等であっても良い。
【００３３】
そのほか、その電磁装置は、前述の左右に限られず、上下や、あるいは対角位置に設けても良い。
貯蔵庫の全体としても、冷蔵庫以外に温蔵庫、常温庫等であっても良い。
又、野菜室扉３で例示した引き出し式の扉は、野菜室扉３以外に製氷室扉４や切換室扉５及び冷凍室扉６等であっても良い。
このほか、本発明は上記し且つ図面に示した実施例にのみ限定されるものではなく、要旨を逸脱しない範囲内で適宜変更して実施し得る。
【図面の簡単な説明】
【００３４】
【図１】本発明の第１実施例を示す主要部分のフローチャート
【図２】冷蔵庫全体の正面図
【図３】主要部分の分解斜視図
【図４】電磁石の制御に関する電気的構成のブロック図
【図５】駆動回路の結線図
【図６】本発明の第２実施例を示す図３部分相当図
【符号の説明】
【００３５】
図面中、１は冷蔵庫本体（貯蔵庫本体）、３は野菜室扉（引出し式の扉）、８は野菜室（貯蔵室）、８ａは貯蔵品出入口、１１は電磁石（電磁装置）、２１は操作検知スイッチ（操作検知手段）、２７は永久磁石、２９は取手、３７は制御装置（制御手段）、５７は永久磁石、５８は操作検知スイッチ（操作検知手段）を示す。
【図１】
2006308169.tif 000003
【図２】
2006308169.tif 000004
【図３】
2006308169.tif 000005
【図４】
2006308169.tif 000006
【図５】
2006308169.tif 000007
【図６】
2006308169.tif 000008